(57)【要約】【課題】  読み取り画像を左右反転させて印刷するときに、処理をスムーズに行う。【解決手段】  原稿から画像を読み取って画像データを生成する画像読み取り部と、前記画像読み取り部により生成された画像データが格納されるデータ格納部と、前記データ格納部から読み出された前記画像データに基づき媒体に印刷をする印刷部とを備え、前記画像読み取り部により読み取られた画像を左右に反転させて媒体に印刷する印刷装置において、前記画像を左右に反転させて媒体に印刷するときに、前記データ格納部に格納される前記画像データに対してダミーデータを付加する処理を施し、前記データ格納部に格納された前記画像データが、前記データ格納部への格納順序とは逆の順序で前記データ格納部から読み出される。【選択図】    図１４
2005111796.tif 000002
【特許請求の範囲】
【請求項１】
原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置において、
前記画像を左右に反転させて媒体に印刷するときに、
前記データ格納部に格納される前記画像データに対してダミーデータを付加する処理が施され、前記データ格納部に格納された前記画像データが、前記データ格納部への格納順序とは逆の順序で前記データ格納部から読み出されることを特徴とする印刷装置。
【請求項２】
前記画像データは、前記データ格納部に対して所定のデータ単位で格納されることを特徴とする請求項１に記載の印刷装置。
【請求項３】
前記画像データは、前記データ格納部から所定のデータ単位で読み出されることを特徴とする請求項１または２に記載の印刷装置。
【請求項４】
前記データ格納部に格納される前記画像データには、前記画像読み取り部により読み取られた画像とは関係のないデータが含まれ、前記データ格納部から前記画像データの読み出しを開始するときに、前記画像とは関係のないデータを排除することを特徴とする請求項１〜３のいずれか１項に記載の印刷装置。
【請求項５】
前記ダミーデータは、前記データ格納部に格納される前記画像データの先頭部分に付加されることを特徴とする請求項１〜４に記載の印刷装置。
【請求項６】
前記ダミーデータのサイズは、前記データ格納部への前記画像データのデータ格納単位に応じて設定されることを特徴とする請求項１〜５のいずれか１項に記載の印刷装置。
【請求項７】
原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置において、
前記画像を左右に反転させて媒体に印刷するときに、
前記データ格納部に格納される前記画像データに対してダミーデータを付加する処理が施され、前記データ格納部に格納された前記画像データが、前記データ格納部への格納順序とは逆の順序で前記データ格納部から読み出され、
前記画像データは、前記データ格納部に対して所定のデータ単位で格納され、
前記画像データは、前記データ格納部から所定のデータ単位で読み出され、
前記データ格納部に格納される前記画像データには、前記画像読み取り部により読み取られた画像とは関係のないデータが含まれ、前記データ格納部から前記画像データの読み出しを開始するときに、前記画像とは関係のないデータを排除し、
前記ダミーデータは、前記データ格納部に格納される前記画像データの先頭部分に付加され、
前記ダミーデータのサイズは、前記データ格納部への前記画像データのデータ格納単位に応じて設定されることを特徴とする印刷装置。
【請求項８】
原稿から読み取った画像から画像データを生成し、この画像データをデータ格納部に格納して、前記データ格納部から前記画像データを読み出して当該画像データに基づき媒体に印刷をする印刷方法において、
を左右に反転させて媒体に印刷する印刷方法において、
原稿から読み取った画像を左右に反転させて媒体に印刷するときに、
前記データ格納部に格納される前記画像データに対してダミーデータを付加する処理を施し、
前記データ格納部に格納された前記画像データを前記データ格納部への格納順序とは逆の順序で前記データ格納部から読み出すことを特徴とする印刷方法。
【請求項９】
原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置において実行されるプログラムであって、
前記画像を左右に反転させて媒体に印刷するときに、
前記データ格納部に格納される前記画像データに対してダミーデータを付加する処理を施すステップと、
前記データ格納部に格納された前記画像データを、前記データ格納部への格納順序とは逆の順序で前記データ格納部から読み出すステップとを実行することを特徴とするプログラム。
【請求項１０】
コンピュータ本体と、当該コンピュータ本体に接続された印刷装置とを備えた印刷システムにおいて、
前記印刷装置は、原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置であって、
前記画像を左右に反転させて媒体に印刷するときに、
前記データ格納部に格納される前記画像データに対してダミーデータを付加する処理を施し、前記データ格納部に格納された前記画像データが、前記データ格納部への格納順序とは逆の順序で前記データ格納部から読み出されることを特徴とする印刷システム。
【発明の詳細な説明】
【技術分野】
【０００１】
本発明は、画像読み取り部により読み取られた画像を左右に反転させて媒体に印刷をする印刷装置、印刷方法、プログラムおよび印刷システムに関する。
【背景技術】
【０００２】
最近、媒体に印刷を施す印刷装置として、原稿から画像を読み取るスキャナ部（画像取込み部）を備えた印刷装置が登場している。この印刷装置は、当該印刷装置に接続されたホストコンピュータから送られてきた印刷データに基づき、媒体に印刷する通常のプリンタとしての機能の他に、スキャナ部で原稿から読み取った画像から画像データを生成してホストコンピュータなどに出力するスキャナとしての機能と、スキャナ部で原稿から読み取られた画像を媒体に印刷するローカルコピー機能とを備えている。
【０００３】
このような印刷装置に備えられるローカルコピー機能の１つとして、「ミラー印刷機能」がある（例えば、特許文献１参照）。この「ミラー印刷機能」とは、スキャナ部で読み取った画像を左右に反転させて媒体に印刷する機能である。この機能は、例えば、Ｔシャツなどに絵柄を印刷するときに、その絵柄をＴシャツに転写するフィルムなどに印刷するときに利用されている。
【特許文献１】特開平１０−１７３９０９号公報
【発明の開示】
【発明が解決しようとする課題】
【０００４】
ところで、このような印刷装置では、「ミラー印刷」を行う場合、スキャナ部で読み取った画像を左右反転させて印刷する関係上、スキャナ部で読み取られた画像から生成された画像データを、途中順序を入れ替えて処理するようになっている。この順序の入れ替えは、読み取った画像の画像データをメモリ等のデータ格納部に格納した後、データ格納部から画像データを読み出す際に、その画像データの読出し順序を入れ替えることにより行っている。
【０００５】
しかしながら、この画像データの読出し順序を変更した場合に、データ格納部から画像データを順次読み出していったときに、データ格納部から読み出すべきデータがなく、処理上不都合が生じることがあった。これは、メモリ等のデータ格納部からの画像データの読み出し単位が予め所定のビット単位に決められているためで、データ格納部から印刷に必要な画像データだけを所定のビット単位で読み出していったときに、読み出し可能なデータが足りず、データをスムーズに処理できない場合があった。
【０００６】
一方、通常の印刷の場合には、スキャナ部において余計に画像データが生成されるため、読み出すべきデータが不足するといった事態は解消される。すなわち、「ミラー印刷」のように、データ格納部からの画像データの読み出し順序が入れ替えられる場合に、スキャナ部において余分に生成される画像データがない場合に、このような事態が生じるのである。
【０００７】
本発明は、このような事情に鑑みたものであって、その目的は、原稿から読み取った画像を左右に反転させて印刷するときに、原稿から読み取った画像の画像データがスムーズに処理されるようにすることにある。
【課題を解決するための手段】
【０００８】
前記目的を達成するための主たる発明は、原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置において、
前記画像を左右に反転させて媒体に印刷するときに、
前記データ格納部に格納される前記画像データに対してダミーデータを付加する処理が施され、前記データ格納部に格納された前記画像データが、前記データ格納部への格納順序とは逆の順序で前記データ格納部から読み出されることを特徴とする印刷装置である。
【０００９】
本発明の他の特徴は、本明細書及び添付図面の記載により明らかにする。
【発明の効果】
【００１０】
本発明によれば、原稿から読み取った画像を左右に反転させて印刷するときに、原稿から読み取った画像の画像データの処理順序を途中入れ替えてもスムーズに処理することができる。
【発明を実施するための最良の形態】
【００１１】
＝＝＝開示の概要＝＝＝
本明細書及び添付図面の記載により、少なくとも以下の事項が明らかとなる。
【００１２】
原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置において、
前記画像を左右に反転させて媒体に印刷するときに、
前記データ格納部に格納される前記画像データに対してダミーデータを付加する処理が施され、前記データ格納部に格納された前記画像データが、前記データ格納部への格納順序とは逆の順序で前記データ格納部から読み出されることを特徴とする印刷装置。
【００１３】
このような印刷装置にあっては、ダミーデータが付加された画像データをデータ格納部から読み出すから、その読み出しの際に、順序を入れ替えても画像データをスムーズに読み出すことができる。
【００１４】
かかる印刷装置にあっては、前記画像データは、前記データ格納部に対して所定のデータ単位で格納されても良い。このように画像データが所定のデータ単位で格納されれば、画像データの処理順序をスムーズに入れ替えることができる。
【００１５】
また、かかる印刷装置にあっては、前記画像データは、前記データ格納部から所定のデータ単位で読み出されても良い。このように画像データがデータ格納部から所定のデータ単位で読み出される場合に、画像データの処理順序をスムーズに入れ替えることができる。
【００１６】
また、かかる印刷装置にあっては、記データ格納部に格納される前記画像データには、前記画像読み取り部により読み取られた画像とは関係のないデータが含まれ、前記データ格納部から前記画像データの読み出しを開始するときに、前記画像とは関係のないデータを排除してもよい。このように関係のないデータが画像データに含まれていても、データ格納部から読み出す際に排除することができる。
【００１７】
また、かかる印刷装置にあっては、前記ダミーデータは、前記データ格納部に格納される前記画像データの先頭部分に付加されてもよい。このように先頭部分に付加されれば、画像データを順序を入れ替えてスムーズに読み出すことができる。
【００１８】
また、かかる印刷装置にあっては、前記ダミーデータのサイズは、前記データ格納部への前記画像データのデータ格納単位に応じて設定されても良い。このようにデータ格納部へのデータ格納単位に応じてダミーデータのサイズが設定されれば、適当なサイズのダミーデータを付加することができる。
【００１９】
原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置において、
前記画像を左右に反転させて媒体に印刷するときに、
前記データ格納部に格納される前記画像データに対してダミーデータを付加する処理が施され、前記データ格納部に格納された前記画像データが、前記データ格納部への格納順序とは逆の順序で前記データ格納部から読み出され、
前記画像データは、前記データ格納部に対して所定のデータ単位で格納され、
前記画像データは、前記データ格納部から所定のデータ単位で読み出され、
前記データ格納部に格納される前記画像データには、前記画像読み取り部により読み取られた画像とは関係のないデータが含まれ、前記データ格納部から前記画像データの読み出しを開始するときに、前記画像とは関係のないデータを排除し、
前記ダミーデータは、前記データ格納部に格納される前記画像データの先頭部分に付加され、
前記ダミーデータのサイズは、前記データ格納部への前記画像データのデータ格納単位に応じて設定されることを特徴とする印刷装置。
【００２０】
原稿から読み取った画像から画像データを生成し、この画像データをデータ格納部に格納して、前記データ格納部から前記画像データを読み出して当該画像データに基づき媒体に印刷をする印刷方法において、
を左右に反転させて媒体に印刷する印刷方法において、
原稿から読み取った画像を左右に反転させて媒体に印刷するときに、
前記データ格納部に格納される前記画像データに対してダミーデータを付加する処理を施し、
前記データ格納部に格納された前記画像データを前記データ格納部への格納順序とは逆の順序で前記データ格納部から読み出すことを特徴とする印刷方法。
【００２１】
原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置において実行されるプログラムであって、
前記画像を左右に反転させて媒体に印刷するときに、
前記データ格納部に格納される前記画像データに対してダミーデータを付加する処理を施すステップと、
前記データ格納部に格納された前記画像データを、前記データ格納部への格納順序とは逆の順序で前記データ格納部から読み出すステップとを実行することを特徴とするプログラム。
【００２２】
コンピュータ本体と、当該コンピュータ本体に接続された印刷装置とを備えた印刷システムにおいて、
前記印刷装置は、原稿から画像を読み取って画像データを生成する画像読み取り部と、
前記画像読み取り部により生成された画像データが格納されるデータ格納部と、
前記データ格納部から読み出された前記画像データに基づき媒体に印刷をする印刷部とを備え、
前記画像読み取り部により読み取られた画像を左右に反転させて媒体に印刷する印刷装置であって、
前記画像を左右に反転させて媒体に印刷するときに、
前記データ格納部に格納される前記画像データに対してダミーデータを付加する処理を施し、前記データ格納部に格納された前記画像データが、前記データ格納部への格納順序とは逆の順序で前記データ格納部から読み出されることを特徴とする印刷システム。
【００２３】
＝＝＝印刷装置の概要＝＝＝
以下に本実施形態に係る印刷装置の実施の形態について、スキャナ付きインクジェットプリンタを例にとり、その概要について説明する。。図１〜図７は、そのスキャナ付きインクジェットプリンタを説明する図である。図１〜図３は、そのプリンタを外部から見たときの図であり、図４は、そのプリンタの内部機構の概要を説明する図であり、図５及び図６は、そのプリンタの印刷ヘッドの構成を説明する図であり、図７は、そのプリンタの制御部の概要を説明する図である。
【００２４】
このスキャナ付きインクジェットプリンタ１は、原稿から画像を読み取って画像データを生成するスキャナ機能と、ホストコンピュータから送られてきた印刷データに基づき印刷媒体に印刷をするプリンタ機能と、原稿から読み取った画像を印刷媒体に印刷して複写するローカルコピー機能とを備えたスキャナ・プリンタ・コピー複合装置（以下、ＳＰＣ複合装置という）である。このＳＰＣ複合装置１は、図１に示すように、その上部に原稿５から画像を読み取るためのスキャナ部１０（本発明における画像読み取り部に相当）を備え、また、その下部に、用紙７に印刷をするための印刷部３０を備えている。また装置１の前面部には、操作パネル部７０が設けられている。
【００２５】
スキャナ部１０は、図２に示すように、原稿５がセットされるガラス板が設けられた原稿台１２と、当該原稿台１２を上方から覆う原稿台カバー１４とを備えている。原稿台カバー１４は、装置１の後端部に回動可能に取付けられ、原稿台１２の上面を開閉するように設けられている。
【００２６】
一方、印刷部３０は、図３に示すように、スキャナ部１０を上方に持ち上げることによって、その内部が開口部３０１を通じて外部に開放されるように構成されている。つまり、スキャナ部１０は、装置１の後部にヒンジ部４１を介して回動自在に装着されており、このスキャナ部１０を上方へと持ち上げることで、印刷部３０の内部に通じる開口部３０１が開放される。印刷部３０の内部には、インクカートリッジを搭載するキャリッジ３６などが配置されている。このように印刷部３０の内部が開放されることにより、その開口部３０１を通じてインクカートリッジの交換等のメンテナンス作業や、紙詰まり等のエラー対処等を容易に行うことができるようになっている。
【００２７】
また、印刷部３０は、装置１の背部に、印刷媒体として用紙７がセットされて当該用紙７を順次供給する給紙部３２を備えているとともに、装置１の前部に、印刷された用紙７が排出される排紙部３４を備えている。給紙部３２は、給紙トレー３２１を備え、給紙トレー３２１にカット紙（図示外）を保持するようになっている。また、排紙部３４は、排紙トレー３４１を備え、印刷されて排出された用紙７を受けるとともに、不使用時には排紙口を塞ぐことができる。なお、給紙部３２にセットされる媒体としては、カット紙などの単票状印刷用紙のみならず、ロール紙などの連続した印刷用紙でも構わず、給紙部３２がこれらの媒体に対応した構造を備えていても良い。
【００２８】
＝＝＝スキャナ部１０・印刷部３０の内部機構＝＝＝
図４は、スキャナ部１０および印刷部３０の内部機構を示したものである。  
スキャナ部１０は、同図の上部に示すように、原稿台１２の下側に、スキャナ用キャリッジ１６と、このキャリッジ１６を原稿台１２に対して所定の間隔を保ちつつ図中矢印Ａ方向に沿って平行に移動させる駆動機構１８と、キャリッジ１６を支持しつつその移動を案内するガイド２０とを備えている。
【００２９】
スキャナ用キャリッジ１６には、原稿台１２を介して原稿５に対し光を照射する光源としての露光ランプ２２と、原稿５から反射された反射光を案内する複数枚のミラー２６と、ミラー２６により案内された反射光を集光するレンズ２４と、このレンズ２４により集光された反射光を受光するＣＣＤセンサ２８とが搭載されている。
【００３０】
ＣＣＤセンサ２８は、光信号を電気信号に変換するフォトダイオードが列状に配置されて構成された３本のリニアセンサ（図示外）を備えている。これら３本のリニアセンサは、相互に間隔をあけて平行に配置され、それぞれＲ（レッド）、Ｇ（グリーン）およびＢ（ブルー）の３色の異なるフィルタが設けられている。各リニアセンサは、各フィルタの色に対応した成分の光をそれぞれ反射光から検出し、その検出結果を制御部５０に出力する。
【００３１】
また、駆動機構１８は、スキャナ用キャリッジ１６に接続されたタイミングベルト１８１と、このタイミングベルト１８１が掛け渡された一対のプーリ１８３、１８４と、一方のプーリ１８２を回転駆動する駆動モータ１８３とを備えている。駆動モータ１８３は、制御部５０からの制御信号によって駆動制御される。
【００３２】
一方、印刷部３０は、図４の下部に示すように、プリンタ用キャリッジ３６と、このキャリッジ３６に搭載された印刷ヘッド３８と、プリンタ用キャリッジ３６を用紙７に対して所定の間隔を保持しつつ相対的に平行に移動させる駆動機構４１と、用紙７を前記キャリッジ３６の移動方向とは直交する方向に沿って紙送りする紙送り機構４３とを備えている。
【００３３】
プリンタ用キャリッジ３６には、カートリッジ装着部が設けられ、このカートリッジ装着部には、ブラック（Ｋ）、シアン（Ｃ）、マゼンタ（Ｍ）、イエロ（Ｙ）等のインクが収容されたインクカートリッジが装着される。
【００３４】
印刷ヘッド３８は、インクカートリッジから供給された各色のインクを用紙７に向けて吐出して当該用紙７上にドットを形成することで、用紙７に画像を形成して印刷を施すようになっている。
【００３５】
駆動機構４１は、プリンタ用キャリッジ３６に接続されたタイミングベルト４９と、このタイミングベルト４９に噛合されたプーリ４８と、このプーリ４８を回転駆動するキャリッジモータ４２（以下、ＣＲモータともいう）と、プリンタ用キャリッジ３６の位置を検出するリニア式エンコーダ４６１とを備えている。この駆動機構４１は、キャリッジモータ４０を駆動してプーリ４８を介してタイミングベルト４９を回転させることにより、プリンタ用キャリッジ３６を用紙７に対して相対的に移動させるようになっている。キャリッジモータ４０は、制御部５０からの制御信号により駆動制御される。
【００３６】
紙送り機構４３は、プラテン３５と、搬送ローラ３７と、当該搬送ローラ３７を回転駆動する紙送りモータ４２（以下、ＰＦモータともいう）と、用紙７が所定位置に到達したか否かを検出する紙検出センサ４５と、搬送ローラ３７の回転量を検出するロータリ式エンコーダ４７とを備えている。プラテン３５は、印刷ヘッド３８に対向して配置されている。紙送りモータ４２が駆動すると、搬送ローラ３７が回転して、用紙７がプラテン３５上を搬送される。紙送りモータ４２は、制御部５０からの制御信号により駆動制御される。
【００３７】
印刷時には、用紙７が搬送ローラ３７により間欠的に所定の搬送量で搬送され、その間欠的な搬送の合間にプリンタ用キャリッジ３６が、搬送ローラ３７による搬送方向に対して交差する方向に沿って移動しながら、印刷ヘッド３８から用紙７に向けてインクを吐出して印刷が施されるようになっている。
【００３８】
＝＝＝印刷ヘッド３８の吐出機構＝＝＝
図５は、印刷ヘッド３８の下面部に設けられたインクを吐出するノズルの配列を示した図である。印刷ヘッド３８の下面部には、同図に示すように、ブラック（Ｋ）、シアン（Ｃ）、マゼンタ（Ｍ）およびイエロ（Ｙ）の各色ごとにそれぞれ複数のノズル♯１〜♯１８０からなるノズル列３３が設けられている。各ノズル♯１〜♯１８０は、用紙７の搬送方向に沿って直線状に配列され、各ノズル列３３は、印刷ヘッド３８の移動方向（走査方向）に沿って相互に間隔をあけて平行に配置されている。各ノズル♯１〜♯１８０には、インク滴を吐出するための駆動素子としてピエゾ素子（図示外）が設けられている。
【００３９】
図６は、各ノズル♯１〜♯１８０の駆動回路を示したものである。この駆動回路は、同図に示すように、原駆動信号発生部２０６と、複数のマスク回路２０４と、駆動信号補正部２３０とを備えている。各マスク回路２０４には、シリアル印刷信号ＰＲＴ（ｉ）が入力される。シリアル印刷信号ＰＲＴ（ｉ）は、制御部５０から送られてきた、各ノズル♯１〜♯１８０におけるインクの吐出の可否を指示する信号である。また、原駆動信号発生部２０６は、同図下端部に示すような、１画素当たり、第１パルスＷ１と第２パルスＷ２との２つのパルスからなる原駆動信号ＯＤＶＲを生成する。生成された原駆動信号ＯＤＶＲは、各マスク回路２０４にそれぞれ供給される。
【００４０】
各マスク回路２０４では、シリアル印刷信号ＰＲＴ（ｉ）のレベルに応じて、原駆動信号ＯＤＶＲの通過を通過させたり、また遮断したりする。つまり、シリアル印刷信号ＰＲＴ（ｉ）のレベルが『１』、即ち「Ｈｉ」であるときには原駆動信号ＯＤＲＶをそのまま通過させて駆動信号ＤＲＶとして出力する一方、シリアル印刷信号ＰＲＴ（ｉ）のレベルが『０』、即ち「Ｌｏｗ」のときには、原駆動信号ＯＤＲＶを遮断する。これにより各マスク回路２０４からは、シリアル印刷信号ＰＲＴ（ｉ）のレベルに応じた駆動信号ＤＲＶが出力される。各マスク回路２０４から出力された駆動信号ＤＲＶは、駆動信号補正部２３０を経由して各ノズル♯１〜♯１８０のピエゾ素子に出力されて、各ピエゾ素子を駆動する。
【００４１】
なお、駆動信号補正部２３０は、プリンタ用キャリッジ３６を往復移動させて印刷を行う場合に、キャリッジ３６の往路と復路におけるインク滴の着弾位置のズレを補正して、ドットの形成位置のズレを解消する処理を行う。
【００４２】
＝＝＝制御部５０の構成＝＝＝
図７は、本実施形態に係るＳＰＣ複合装置１の制御部５０のシステム構成を示したブロック構成図である。
【００４３】
制御部５０は、ＳＰＣ複合装置１の全体の制御を司るＣＰＵ（中央制御部）５４と、ＣＰＵ５４が読み書きするためのＣＰＵ用のメモリ５７と、各種専用の処理を実行するＡＳＩＣ５１と、ホストコンピュータ３など外部との間で通信を行うための通信インターフェース５２と、操作パネル部７０における操作入力の検出や液晶ディスプレイの表示制御などを行う操作制御部７１と、ＣＰＵ５４で実行される制御用プログラムなどを格納したＲＯＭ（図示外）とを備えている。ＲＯＭには、当該ＳＰＣ複合装置１を制御するための制御プログラムなどが記憶されている。ＣＰＵ５４は、ＲＯＭから制御プログラムを読み出して実行することにより、ＳＰＣ複合装置１の各部を制御する。ここでは、ＣＰＵ５４とバス５０１で接続された、メモリ５７やＡＳＩＣ５１、通信インターフェース５２、操作制御部７１などが制御される。ＣＰＵ用のメモリ５７は、ＳＤＲＡＭなどをはじめとするメモリ等の適宜な記憶手段により構成される。当該メモリ５７には、受信バッファ（図示外）やプリンタ動作用イメージバッファ５７１、５７２などが設けられる。
【００４４】
ＡＳＩＣ５１は、スキャナコントロールユニット５８と、２値化処理ユニット６０と、インターレース処理ユニット６２と、イメージバッファユニット６４と、ＣＰＵインターフェイスユニット（以下、ＣＰＵＩＦユニットという）６６と、ヘッドコントロールユニット６８と、ＡＳＩＣ５１が読み書きするためのＡＳＩＣ用のメモリ６９（本発明におけるメモリに相当）とを備えている。ＡＳＩＣ用のメモリ６９は、ＳＤＲＡＭなどをはじめとする適宜な記憶手段により構成される。当該メモリ６９には、ラインバッファ６９１（本発明におけるデータ格納部に相当）と、インターレースバッファ６９２と、２つのイメージバッファ６９３、６９４とがそれぞれ設けられている。ＡＳＩＣ用のメモリ６９は、ＳＤＲＡＭなどをはじめとするメモリ等の適宜な記憶手段により構成される。
【００４５】
スキャナコントロールユニット５８は、スキャナ部１０の露光ランプ２２やＣＣＤセンサ２８、これらを搭載したスキャナ用キャリッジ１６を移動させる駆動モータ１８２などを駆動制御するとともに、ＣＣＤセンサ２８において原稿５から画像を読み取り、この読み取りにより得られたデータをラインバッファ６９１に一旦格納される。ここでは、例えば多階調のＲＧＢデータなどといった形式の画像データを生成して、この画像データをラインバッファ６９１に蓄積する。ここでいうＲＧＢデータとは、Ｒ（レッド）、Ｇ（グリーン）及びＢ（ブルー）の各色別の画像情報からなるデータであり、本実施形態では、ＣＣＤセンサ２８に設けられた３本のリニアセンサ、即ち、Ｒ（レッド）、Ｇ（グリーン）及びＢ（ブルー）の各色に対応したリニアセンサから得られた３色分の画像データにより構成されている。
【００４６】
ラインバッファ６９１に蓄積された画像データは、ライン間補正処理が施されてから、スキャナコントロールユニット５８により順次読み出されて２値化処理ユニット６０に送出される。ここで、ライン間補正処理とは、スキャナ部のＣＣＤセンサ２８に設けられたＲ（レッド）、Ｇ（グリーン）及びＢ（ブルー）の３本のリニアセンサ間の読み取り位置のズレを補正する処理である。すなわち、３本のリニアセンサは、相互に間隔をあけて設けられているため、原稿５上の同一ライン上の画像を読み取る場合、各色ごとに時間的なズレが発生する。このような各色ごとの時間的なズレを補正するために、先に読み込んだ色のデータを後から読み込んだ色のデータに同期させて出力する処理が必要なのである
２値化処理ユニット６０は、送られてきた画像データを２値化処理して２値化データを生成する。例えば、画像データが多階調のＲＧＢデータの場合には、メモリ６９に記憶されたルックアップテーブル（ＬＵＴ）６９５を参照して、その画像データを例えばＣＭＹＫの各色ごとの２値化データ（ＣＭＹＫデータともいう）等の２値データに変換処理する。ここで生成されるＣＭＹＫデータとは、シアン（Ｃ）、マゼンタ（Ｍ）、イエロ（Ｙ）、黒（Ｋ）の各色別の２値データから構成されるデータのことであり、各色別の２値データは、インクカートリッジの各色に対応している。ここで生成された２値化データは、スキャナコントロールユニット５８からインターレース処理ユニット６２へと順次送出される。
【００４７】
インターレース処理ユニット６２は、スキャナコントロールユニット５８からの２値化データをインターレースバッファ６９２に順次記憶する。そして、インターレース処理ユニット６２は、インターレースバッファ６９２から２値化データを順次読み出して、印刷ヘッド３８が所定の方向に沿って１回移動される毎に印刷処理すべき１走査分のヘッド駆動データを生成する。このヘッド駆動データは、印刷ヘッド３８の各色の各ノズル♯１〜♯１８０に対し、インクを吐出するかしないかを指示する２値データであり、印刷ヘッド３８の移動方向に沿って配列された『０』（インクを吐出しない）または『１』（インクを吐出する）のビットにより構成されている。
【００４８】
インターレース処理ユニット６２は、このような１走査分のヘッド駆動データを順次イメージバッファユニット６４に送出する。イメージバッファユニット６４は、送られてきた１走査分のヘッド駆動データを、２つのイメージバッファ６９３、６９４に順次振り分けながら格納する。
【００４９】
イメージバッファ６９３、６９４に格納された１走査分のヘッド駆動データは、ＣＰＵ５４によりＣＰＵＩＦユニット６６を通じて順次読み出されて、ヘッドコントロールユニット６８に送出される。
【００５０】
ヘッドコントロールユニット６８は、ＣＰＵ５４により送られてきたヘッド駆動データに基づき、印刷ヘッドを駆動して用紙７に対して印刷をする。すなわち、ヘッドコントロールユニット６８は、送られてきたヘッド駆動データに基づき、シリアル印刷ＰＲＴ（ｉ）を生成して、各シリアル印刷ＰＲＴ（ｉ）により各ピエゾ素子を駆動して各ノズル♯１〜♯１８０からインクを吐出して印刷を施すのである。
【００５１】
＝＝＝各機能における動作＝＝＝
＜スキャナ時の動作＞
ホストコンピュータ３等から画像読み取り命令があると、ＣＰＵ５４からスキャナコントロールユニット５８に対し画像読み取り命令が発せられる。この命令を受けたスキャナコントロールユニット５８は、駆動モータ１８３を駆動してスキャナ用キャリッジ１６を移動させながらＣＣＤセンサ２８を通じて、原稿台１２にセットされた原稿５から画像を読み取り、この読み取りにより取得したデータをラインバッファ６９１に順次蓄積する。そして、スキャナコントロールユニット５８は、ラインバッファ６９１に蓄積したデータに対してライン間補正処理を施しつつ順次読み出して例えばＲＧＢデータ等の画像データとして、通信インターフェース５２を介してホストコンピュータ３に送信する。
【００５２】
＜プリンタ時の動作＞
ＣＰＵ５４は、ホストコンピュータ３からの印刷データを通信インターフェース５２で受信し、その印刷データをＣＰＵ用メモリ５６に設けられた受信バッファに記憶する。ここで、送られてくる印刷データは、ホストコンピュータ３により予め印刷ヘッド３８が所定の方向に沿って１回移動される毎に印刷ヘッド３８により印刷処理されるべき１走査分のヘッド駆動データとして加工されている。ＣＰＵ５４は、印刷データから１走査分のヘッド駆動データを抽出して、当該ヘッド駆動データを各イメージバッファ５７１、５７２に振り分けながら順次格納する。そして、各イメージバッファ５７１、５７２に格納されたヘッド駆動データは、各イメージバッファ５７１、５７２から順次読み出されてヘッドコントロールユニット６８へと送出される。ヘッドコントロールユニット６８は、送られてきたヘッド駆動データに基づき、印刷ヘッド３８を駆動して用紙７に対して印刷をする。
【００５３】
＜ローカルコピー時の動作＞
操作パネル部７０に設けられたカラーコピーボタンまたはモノクロコピーボタンなどを通じてユーザからコピー命令を受けると、ＣＰＵ５４により、スキャナコントロールユニット５８に対し画像読み取り命令が発せられる。この命令を受領したスキャナコントロールユニット５８は、原稿台１２にセットされた原稿５から画像を取り込んで画像データを生成してラインバッファ６９１に格納する。そして、スキャナコントロールユニット５８は、ラインバッファ６９１から順次ライン間補正処理を施しつつ画像データを読み出して２値化処理ユニット６０に送出し、２値化処理ユニット６０は、送られてきた画像データを順次２値化処理して２値化データを生成する。ここで、カラーコピーボタンが操作された場合には、例えばＣＭＹＫデータ等の複数色分の２値化データが生成され、またモノクロコピーボタンが操作された場合には、１色分の２値化データが生成される。生成された２値化データは、２値化処理ユニット６０により順次インターレース処理ユニット６２に送出される。
【００５４】
インターレース処理ユニット６２は、送られてきた２値化データをインターレースバッファ６９２に記憶し、ここから順次２値化データを読み出して、印刷ヘッド３８が所定の方向に沿って１回移動される毎に印刷処理すべき１走査分のヘッド駆動データを生成し、当該ヘッド駆動データを順次イメージバッファユニット６４に送出する。
【００５５】
イメージバッファユニット６４は、送られてきた１走査分のヘッド駆動データを、２つのイメージバッファ６９３、６９４に振り分けつつ格納し、格納されたヘッド駆動データは、ＣＰＵＩＦＵ６６により順次イメージバッファ６９３、６９４から読み出されて、ヘッドコントロールユニット６８へ送られる。ヘッドコントロールユニット６８は、このヘッド駆動データに基づき印刷ヘッドを駆動して用紙に印刷を施す。これにより、原稿台１２にセットされた原稿５の画像が用紙７に印刷されて複写される。
【００５６】
＝＝＝本実施形態の印刷方式＝＝＝
次に本実施形態の印刷方式（コピー方式）について詳しく説明する。本実施形態に係るＳＰＣ複合装置１では、スキャナ部１０で読み取った原稿５を左右に反転させて印刷を行う、「ミラー印刷」を行うことができる。この「ミラー印刷」は、例えば、Ｔシャツなどに絵柄を印刷するときに、その絵柄をＴシャツに転写するフィルムなどに印刷するときに利用されている。
【００５７】
図８は、この「ミラー印刷」について説明するための図である。図８Ａは、原稿から読み出される元の画像を示し、図８Ｂは、ミラー印刷された印刷画像を示している。これら「ミラー印刷」が行われると、図８Ａに示す原稿５から読み取られた元の画像は左右反転されて、図８Ｂに示すようなミラー画像が印刷される。
【００５８】
このような「ミラー印刷」は、スキャナ部で原稿から読み取った画像の画素を左右入れ替えることによって実現することができる。このため、このＳＰＣ複合装置１にあっては、スキャナ部で原稿から読み取った画像の画像データを、途中順序を入れ替えて処理するようになっている。以下に「ミラー印刷」における詳しいデータ処理の流れについて説明する。
【００５９】
＝＝＝ミラー印刷の処理＝＝＝
以下にこの「ミラー印刷」の処理について詳しく説明する。  
まず、ユーザーは、操作パネル部７０の操作ボタンを操作して、複数の印刷方式の中から「ミラー印刷」を選択する。次に、ユーザーは、ＳＰＣ複合装置１のスキャナ部１０の原稿台１２上に、原稿５をセットし、原稿台カバー１４を閉じて、操作パネル部７０に設けられたコピーボタン（図示外）を操作する。これによって、原稿５の読み取り動作の開始を指示する。
【００６０】
操作制御部７１は、ユーザーによりコピーボタンが操作されると、その旨、ＣＰＵ５４に伝達する。ＣＰＵ５４は、この伝達を受けると、原稿台１２上に設置された原稿５の読み取り動作を開始する旨の指示をスキャナコントロールユニット５８に伝達する。スキャナコントロールユニット５８は、ＣＰＵ５４からの指示により、原稿台１２にセットされた原稿５から画像を取り込む。そして、スキャナコントロールユニット５８は、取り込んだ画像から画像データを生成する。生成された画像データは、スキャナコントロールユニット５８によりラインバッファ６９１に格納される。
【００６１】
そして、スキャナコントロールユニット５８は、ラインバッファ６９１から順次ライン間補正処理を施しつつ画像データを順次読み出す。ここで、ユーザーにより「ミラー印刷」が指示されていた場合には、スキャナコントロールユニット５８は、ラインバッファ６９１に格納された画像データを順序を入れ替えて読み出す。つまり、ラインバッファ６９１に格納された画像データは、ラインバッファ６９１へ格納されたときの順序とは異なる順序でラインバッファ６９１から読み出される。
【００６２】
このときの画像データの読み出し順序について、通常の印刷時と対比しながら説明する。図９は、通常の印刷時におけるラインバッファ６９１からの画像データの読み出し順序を説明するものである。図１０は、「ミラー印刷」時におけるラインバッファ６９１からの画像データの読み出し順序を説明するものである。
【００６３】
まず、通常の印刷時における画像データの読み出し順序について説明する。  
スキャナユニット１０からは、原稿から読み取られた画像の画像データが１ライン分ずつ送られてくる。スキャナコントロールユニット５８は、スキャナユニット１０から送られてきた画像データを１ラインずつラインバッファ６９１に格納する。このとき、画像データは、図９の上部に示すように、ＡＳＩＣ用メモリ６９に予め決められた所定のビット単位１〜Ｎ（本発明のデータ格納単位に相当）でラインバッファ６９１に格納される。
【００６４】
ラインバッファ６９１に格納された１ライン分の画像データは、ラインバッファ６９１に格納されたときと同じく、ＡＳＩＣ用メモリ６９に予め決められた所定のビット単位１〜Ｍにてラインバッファ６９１から読み出される。このとき、ラインバッファ６９１に格納された１ライン分の画像データには、実際にスキャナユニット１０のＣＣＤセンサ２８から得られたデータ以外の他の無関係なデータが前後に含まれていることから、これら無関係なデータを排除するために、図９の下部に示すように、ＣＣＤセンサから実際に出力されたデータの開始位置から画像データの読み出しが開始される。このときの画像データの読み出し順序は、ラインバッファ６９１への画像データの格納順序と同じ方向、即ち図中矢印Ａ方向に設定される。つまり、先にラインバッファ６９１に格納された画像データから順にラインバッファ６９１から読み出される。このとき、ラインバッファ６９１から読み出される画像データの後ろの部分には、ＡＳＩＣ用メモリ６９へのアクセス単位が所定のビット単位に設定されていることから、実際にＣＣＤセンサ２８から得られたデータ以外の無関係なデータを付加する必要がある場合がある。
【００６５】
一方、「ミラー印刷」においては、ラインバッファ６９１には、図１０に示すように、通常の印刷時と同じく、スキャナユニット１０から送られてきた画像データが１ラインずつ格納される。このとき、ラインバッファ６９１には、画像データが、ＡＳＩＣ用メモリ６９に予め決められた所定のビット単位１〜Ｎにて格納される。
【００６６】
ラインバッファ６９１に格納された１ライン分の画像データは、ラインバッファ６９１に格納されたときと同じく、図１０の上部に示すように、ＡＳＩＣ用メモリ６９に予め決められた所定のビット単位１〜Ｍにてラインバッファ６９１から読み出される。ただし、ここでは、原稿から読み取った画像の画像データを処理する順序を入れ替えるために、ラインバッファ６９１から読み出す画像データの順序を、図１０の下部に示すように、ラインバッファに格納したときの順序と逆の順序にする。すなわち、１ライン分の画像データのうち、ラインバッファ６９１に後から格納された画像データから先にラインバッファ６９１から順次読み出される。
【００６７】
ここでは、通常の印刷時と同様に、ＣＣＤセンサ２８から得られたデータのみを読み出すために、ＣＣＤセンサ２８から実際に得られたデータの開始位置からデータが読み出される。なお、この場合でも、ラインバッファ６９１から読み出される画像データの後ろの部分には、ＡＳＩＣ用メモリ６９へのアクセス単位が所定のビット単位に設定されていることから、実際にＣＣＤセンサ２８から得られたデータ以外の無関係なデータを付加する必要がある場合がある。
【００６８】
このようにして、ラインバッファ６９１に格納された１ライン分の画像データが、ラインバッファ６９１への格納時とは逆の順序で読み出されることによって、１ライン分の画像データを処理する順序を簡単に入れ替えることができる。
【００６９】
ラインバッファ６９１から読み出された画像データは、スキャナコントロールユニット５８によってライン間補正処理されて２値化処理ユニット６０に送出される。２値化処理ユニット６０に送られてきた画像データは、２値化処理ユニット６０により順次２値化処理されて、２値化データが生成される。生成された２値化データは、２値化処理ユニット６０により順次インターレース処理ユニット６２に送出される。
【００７０】
インターレース処理ユニット６２に送られた２値化データは、インターレースバッファ６９２に格納され、ここから順次読み出されて、印刷ヘッド３８が所定の方向に沿って１回移動される毎に印刷処理すべき１走査分のヘッド駆動データとして生成される。生成されたヘッド駆動データは順次イメージバッファユニット６４に送出される。
【００７１】
イメージバッファユニット６４に送られてきたヘッド駆動データは、２つのイメージバッファ６９３、６９４に振り分けつつ格納されて、ＣＰＵＩＦＵ６６により順次イメージバッファ６９３、６９４から読み出されて、ヘッドコントロールユニット６８へ送られる。ヘッドコントロールユニット６８は、このヘッド駆動データに基づき印刷ヘッドを駆動して用紙に印刷を施す。これにより、原稿台１２にセットされた原稿５の画像が用紙７にミラー画像として印刷される。
【００７２】
＝＝＝従来の問題点＝＝＝
図１１は、従来の問題点について説明する図である。同図に示すように、「ミラー印刷」において、ラインバッファ６９１に格納された１ライン分の画像データを、ラインバッファに格納したときの順序と逆の順序で、所定のビット単位１〜Ｍにてラインバッファ６９１から順次読み出してゆくときに、読み出すべきデータが足りない場合があった。すなわち、ラインバッファ６９１から画像データを読み出すときには、ＡＳＩＣ用メモリ６９に予め決められた所定のビット単位にて読み出す必要があるため、ＣＣＤセンサ２８のデータとは関係のない無関係なデータを付加することがあるが、ここで付加すべき無関係なデータが足りないといった事態が発生することがある。このように無関係なデータが足りない場合には、所定のビット単位で画像データを読み出すことができず、処理をスムーズに行えないといった不都合が生じることになる。
【００７３】
通常の印刷の場合には、画像データがラインバッファ６９１に格納される順序と同じ順序で、ラインバッファ６９１から読み出されるから、画像データをラインバッファ６９１から所定のビット単位で読み出すための付加データを必要とする場合には、ラインバッファ６９１に格納される画像データに後から余分なデータを付け加えることができるため、前述したような画像データをラインバッファ６９１から所定のビット単位で読み出すためのデータが不足するといった事態は簡単に回避することができる。すなわち、画像データをラインバッファ６９１から読み出すときにデータが不足するといった問題は、「ミラー印刷」の特有の問題なのである。
【００７４】
＝＝＝本実施形態における解決手法＝＝＝
そこで、本実施形態に係るＳＰＣ複合装置にあっては、「ミラー印刷」を実行するときに、スキャナユニット１０からスキャナコントロールユニット５８に送られてきた画像データが、ＡＳＩＣ用メモリ６９、即ちラインバッファ６９１に格納される際に、そのラインバッファ６９１に格納される画像データに対して、その１ライン毎にダミーデータを付加する処理を施す。ダミーデータは、１ライン分の画像データのうち、１番最初にラインバッファに格納されるデータの先頭部分に付加される。画像データに対しダミーデータを付加する処理は、スキャナコントロールユニット５８により行う。
【００７５】
スキャナコントロールユニット５８のデータ処理手順について、従来の構成と対比しながら説明する。図１２は、スキャナコントロールユニット５８のスキャナユニット１０からの画像データに対する従来の処理手順を説明したものである。図１３は、本実施形態のスキャナコントロールユニット５８のスキャナユニット１０からの画像データに対する処理手順を説明したものである。
【００７６】
図１２に示すように、従来、スキャナコントロールユニット５８は、スキャナユニットから送られてくるＣＣＤセンサ２８の出力をＡ／Ｄ変換して得られた画像データに対して、まず、シェーディング補正を施す。そして、補正された画像データに対してサイズ変換処理を施す。ここでサイズ変換処理とは、画像データのサイズを変化する処理のことである。画像データを構成する多数の画素のデータのうち、相隣接する画素のデータの平均値を求め、画像データを構成する画素の数を削減する。例えば、２画素平均や４画素平均、８画素平均などといった具合に、画像データを構成する画素の数を削減する。その後、得られた画像データに対してガンマ補正を施してから、画像データをＡＳＩＣ用メモリ６９（ラインバッファ６９１）に格納する。
【００７７】
一方、本実施形態に係るスキャナコントロールユニット５８は、スキャナユニット１０から送られてきた画像データに対して、従来と同様、シェーディング補正を施してサイズ変換処理を行い、ガンマ補正を施す。その後、「ミラー印刷」を行う場合には、ガンマ補正済みの画像データに対して、ダミーデータを付加する処理を施す。そして、ダミーデータが付加された画像データをＡＳＩＣ用メモリ６９（ラインバッファ６９１）に格納する。通常の印刷等、「ミラー印刷」以外の印刷処理を行う場合には、ダミーデータを画像データに付加する処理を行わないようにしても良い。
【００７８】
図１４は、画像データにダミーデータが付加された場合の画像データの読み出しについて説明したものである。同図に示すように、ラインバッファに格納される画像データの先頭部分にダミーデータが付加された場合、「ミラー印刷」において、ラインバッファに格納されたときと逆の順序で、所定のビット単位１〜Ｍずつラインバッファ６９１から画像データを順次読み出しても、ダミーデータにより補充されるから、読み出すべきデータが不足するといった不具合が発生することはない。
【００７９】
画像データに付加するダミーデータのサイズとしては、「ミラー印刷」において、ラインバッファ６９１から画像データを読み出す際に、不足すると思われるデータサイズを予め求め、必要なデータサイズ分だけダミーデータを付加してもよく、また、単に読み出しデータの不足を回避することを目的として、一律的にＡＳＩＣ用メモリ６９に予め決められた所定のビット単位にてダミーデータを画像データに付加するようにしてもよい。
【００８０】
以上この実施形態によれば、原稿から読み取った画像を左右に反転させて印刷する、いわゆる「ミラー印刷」を実行するときに、原稿から読み取った画像の画像データに対してダミーデータを付加する処理を施してから、ＡＳＩＣ用メモリ６９（ラインバッファ６９１）に格納するから、画像データを格納したときとは逆の順序で所定のビット単位ずつ画像データを読み出しても、画像データの処理順序をスムーズに入れ替えることができる。
【００８１】
＝＝＝印刷システム等の構成＝＝＝
次に、本発明に係る印刷システムの一例として、印刷装置としてＳＰＣ複合装置１を備えた印刷システムを例にして説明する。
【００８２】
図１５は、印刷システムの外観構成を示した説明図である。印刷システム１０００は、コンピュータ本体１１０２と、表示装置１１０４と、ＳＰＣ複合装置１と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Cathode Ray Tube：陰極線管）やプラズマディスプレイや液晶表示装置等が用いられるのが一般的であるが、これに限られるものではない。ＳＰＣ複合装置１は、上記に説明されたプリンタが用いられている。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Magnet Optical）ディスクドライブ装置やＤＶＤ（Digital Versatile Disk）等の他のものであっても良い。
【００８３】
図１６は、図１５に示した印刷システムの構成を示すブロック図である。コンピュータ本体１１０２が収納された筐体内にＲＡＭ等の内部メモリ１２０２と、ハードディスクドライブユニット１２０４等の外部メモリがさらに設けられている。
【００８４】
上述したプリンタ１の動作を制御するコンピュータプログラムは、例えばインターネット等の通信回線を経由して、ＳＰＣ複合装置１に接続されたコンピュータ１０００等にダウンロードさせることができるほか、コンピュータによる読み取り可能な記録媒体に記録して配布等することもできる。記録媒体としては、例えば、フレキシブルディスクＦＤ、ＣＤ−ＲＯＭ、ＤＶＤ−ＲＯＭ、光磁気ディスクＭＯ、ハードディスク、メモリ等の各種記録媒体を用いることができる。なお、このような記憶媒体に記憶された情報は、各種の読取装置１１１０によって、読み取り可能である。
【００８５】
なお、以上の説明においては、ＳＰＣ複合装置１が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とＳＰＣ複合装置１から構成されても良く、コンピュータシステムが表示装置１１０４、入力装置１１０８及び読取装置１１１０のいずれかを備えていなくても良い。また、例えば、ＳＰＣ複合装置１が、コンピュータ本体１１０２、表示装置１１０４、入力装置１１０８、及び、読取装置１１１０のそれぞれの機能又は機構の一部を持っていても良い。一例として、ＳＰＣ複合装置１が、画像処理を行う画像処理部、各種の表示を行う表示部、及び、デジタルカメラ等により撮影された画像データを記録した記録メディアを着脱するための記録メディア着脱部等を有する構成としても良い。
【００８６】
このようにして実現された印刷システムは、システム全体として従来システムよりも優れたシステムとなる。
【００８７】
＝＝＝その他の実施の形態＝＝＝
以上、一実施形態に基づき、本発明に係るプリンタ等の印刷装置について説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に係る印刷装置に含まれるものである。
【００８８】
また、本実施形態において、ハードウェアによって実現されていた構成の一部又は全部をソフトウェアによって置き換えてもよく、逆に、ソフトウェアによって実現されていた構成の一部をハードウェアによって置き換えてもよい。  
また、印刷装置側にて行っていた処理の一部をホスト側にて行ってよく、また印刷装置とホストの間に専用の処理装置を介設して、この処理装置にて処理の一部を行わせるようにしてもよい。
【００８９】
＜印刷装置について＞
本発明の印刷装置にあっては、前述したインクジェットプリンタに限らず、バブルジェット方式のプリンタなどの他のインク吐出形式により印刷を行う印刷装置であっても良い。  
また、この他に、本発明の印刷装置としては、インクを吐出しないタイプのプリンタ、具体的には、ドットインパクト式プリンタや熱転写プリンタ、またレーザービーム式プリンタなど、印刷機能を備えていれば、どのようなタイプの印刷装置であっても構わない。
【００９０】
＜画像読み取り部について＞
前述した実施の形態では、本発明の画像読み取り部として、スキャナ用キャリッジ１６にＣＣＤセンサ２８を搭載したスキャナ部１０を備えていたが、本発明にあってはこのような画像読み取り部に限らず、原稿から画像を読み取って画像データを生成するのであれば、どのように構成されていても良い。
【００９１】
＜画像データについて＞
前述した実施の形態では、画像データとしてＲＧＢデータが用いられていたが、本発明の画像データにあってはこれに限らず、他の形式の画像データであってもよい。
【００９２】
＜データ格納部について＞
前述した実施の形態では、データ格納部として、ＳＤＲＡＭ等のメモリが用いられていたが、本発明のデータ格納部にあってはこれに限らず、画像データの格納が可能であれば、前述したメモリ以外に、ＨＤＤ（ハードディスクドライブ）など、他のタイプのデータ記憶装置等が用いられても構わない。
【００９３】
＜媒体について＞
媒体については、前述した用紙として、普通紙やマット紙、カット紙、光沢紙、ロール紙、用紙、写真用紙、ロールタイプ写真用紙等をはじめ、これらの他に、ＯＨＰフィルムや光沢フィルム等のフィルム材や布材、金属板材などであっても構わない。すなわち、インクの吐出対象となり得るものであれば、どのような媒体であっても構わない。
【図面の簡単な説明】
【００９４】
【図１】スキャナ・プリンタ・コピー複合装置の外観を示した斜視図。
【図２】図１の複合装置のスキャナ部のカバーを開いたときの斜視図。
【図３】図１の複合装置の印刷部を示した斜視図。
【図４】図１の複合装置のスキャナ部及び印刷部の構成を示した説明図。
【図５】印刷ヘッドを下面から見たときの図。
【図６】ノズル駆動部の一実施形態を示す図。
【図７】図１の複合装置のシステム構成を示したブロック構成図。
【図８】図８Ａは元の画像を示し、図８Ｂはミラー画像を示す。
【図９】通常の印刷時の画像データの読み出し順序の説明図。
【図１０】ミラー印刷時の画像データの読み出し順序の説明図。
【図１１】従来の問題点を説明する図。
【図１２】従来のスキャナコントロールユニットの処理の説明図。
【図１３】本実施形態のスキャナコントロールユニットの処理の説明図。
【図１４】ミラー印刷時の画像データの読み出し順序の説明図。
【図１５】印刷システムの外観構成図。
【図１６】印刷システムの構成を示すブロック構成図。
【符号の説明】
【００９５】
１  ＳＰＣ複合装置、  ３  ホストコンピュータ、  ５  原稿、
１０  スキャナ部、  １２  原稿台、  １４  原稿台カバー、
１６  スキャナ用キャリッジ、  １８  駆動機構、  １８１  タイミングベルト、
１８２  プーリ、  １８３  パルスモータ、  １８４  プーリ、
２０  ガイド、  ２２  露光ランプ、  ２４  レンズ、  ２６  ミラー、
２８  ＣＣＤセンサ、  ３０  印刷部、  ３０１  開口部、
３２  給紙部、  ３２１  給紙トレー、  ３３  ノズル列、  ３４  排紙部、
３４１  排紙トレー、  ３５  プラテン、  ３６  プリンタ用キャリッジ、
３７  搬送ローラ、  ３８  印刷ヘッド、  ４０  キャリッジモータ、  ４１  駆動機構、
４２  紙送りモータ、  ４３  紙送り機構、  ４５  用紙検出センサ、
４６  リニア式エンコーダ、  ４７  ロータリ式エンコーダ、  ４８  プーリ、
４９  タイミングベルト、  ５０  制御部、  ５１  ＡＳＩＣ、
５２  通信インターフェース、  ５４  ＣＰＵ、  ５６  ＣＰＵ用メモリ、
５７１  イメージバッファ、  ５７２  イメージバッファ、
５８  スキャナコントロールユニット、  ６０  ２値化処理ユニット、
６２  インターレース処理ユニット、  ６４  イメージバッファユニット、
６６  ＣＰＵインターフェースユニット（ＣＰＵＩＦ）、
６８  ヘッドコントロールユニット、  ６９  ＡＳＩＣ用メモリ、
６９１  ラインバッファ、  ７０  操作パネル部、  ７１  操作制御部、
２０４  マスク回路、  ２０６  原駆動信号発生部、  ２３０  駆動信号補正部、
６９２  インターレースバッファ、  ６９３  イメージバッファ、
６９４  イメージバッファ、  ６９５  ルックアップテーブル（ＬＵＴ）、
１０００  コンピュータシステム、  １１０２  コンピュータ本体、
１１０４  表示装置、  １１０８  入力装置、  １１０８Ａ  キーボード、
１１０８Ｂ  マウス、  １１１０  読取装置、
１１１０Ａ  フレキシブルディスクドライブ装置、
１１１０Ｂ  ＣＤ−ＲＯＭドライブ装置、  １２０２  内部メモリ、
１２０４  ハードディスクドライブユニット
【図１】
2005111796.tif 000003
【図２】
2005111796.tif 000004
【図３】
2005111796.tif 000005
【図４】
2005111796.tif 000006
【図５】
2005111796.tif 000007
【図６】
2005111796.tif 000008
【図７】
2005111796.tif 000009
【図８】
2005111796.tif 000010
【図９】
2005111796.tif 000011
【図１０】
2005111796.tif 000012
【図１１】
2005111796.tif 000013
【図１２】
2005111796.tif 000014
【図１３】
2005111796.tif 000015
【図１４】
2005111796.tif 000016
【図１５】
2005111796.tif 000017
【図１６】
2005111796.tif 000018